(57)【要約】【課題】遊技者に単調感や飽き等を覚えさせることなく遊技に対する興味を持続させる。【解決手段】演出装置２５は、遊技盤４の前面に沿って流下する遊技球を受けて回転体３０に誘導する皿部材２１と、回転体３０を回転軸線Ｇ３を中心に回転させるモータ７１と、回転体３０の外周面に設けられ、誘導された遊技球を保持するとともに、回転体３０の回転に応じて回転軸３１の軸周りに移動する凹部５３と、モータ７１による回転体３０の回転軸３１を中心とする回転に連動して、回転体３０を揺動させる球体リンク３４と、を備えている。【選択図】図２
2019166177.tif 000002
【特許請求の範囲】
【請求項１】
遊技機の遊技盤に直接又は他部材を介して間接的に回転自在に軸支される回転体によって遊技球が移送される演出装置であって、
前記遊技盤の前面に沿って流下する遊技球を受けて前記回転体に誘導する誘導手段と、
前記回転体を所定の回転軸を中心に回転させる駆動源と、
前記回転体の外周面に設けられ、前記誘導手段によって誘導された遊技球を保持するとともに、前記回転体の回転に応じて前記回転軸の軸周りに移動する保持部と、
前記駆動源による前記回転体の前記回転軸を中心とする回転に連動して、前記回転体を揺動させる揺動手段と、
を備え、
前記保持部に保持された遊技球は、前記回転体の回転及び揺動により蛇行移動することを特徴とする演出装置。
【請求項２】
前記回転体の外周に沿って設けられ、前記誘導手段によって誘導された遊技球が遊動する遊動路を備えることを特徴とする請求項１に記載の演出装置。
【請求項３】
前記誘導手段は、前記回転体の上方に位置し、遊技球を前記遊動路へ誘導する入球口を有することを特徴とする請求項２に記載の演出装置。
【請求項４】
前記回転体は、
前記駆動源によって前記回転軸を中心に回転する内回転体と、
前記内回転体の外方に位置し、前記保持部を具備し、前記揺動手段によって揺動する外回転体と、
を有することを特徴とする請求項１から請求項３のいずれか一項に記載の演出装置。
【請求項５】
前記駆動源からの駆動力に基づいて前記外回転体を揺動させる伝達手段を備えることを特徴とする請求項４に記載の演出装置。
【請求項６】
前記保持部は、遊技球の少なくとも一部が入り込む凹部であり、
前記凹部と所定間隔離間して、前記回転体を覆う保護体を備え、前記凹部に入り込んだ遊技球の前記凹部からの離脱方向への移動を規制することを特徴とする請求項１から請求項５のいずれか一項に記載の演出装置。
【請求項７】
前記保護体は、前記回転体の少なくとも前方側の一部を覆うとともに、前記保持部に保持された遊技球を視認可能に透明に形成されていることを特徴とする請求項６に記載の演出装置。
【請求項８】
請求項１から請求項７のいずれか一項に記載の演出装置を備え、
前記回転体によって遊技球が入賞口に移送されることを特徴とする入賞装置。
【請求項９】
前記誘導手段は、前記回転体の上方に位置し、遊技球を前記保持部へと導く複数の入球口を有し、
複数の前記入球口のうち少なくとも１つは、遊技球を直接的に前記入賞口に移動させる前記保持部へと導くことを特徴とする請求項８に記載の入賞装置。
【請求項１０】
前記保持部は、
保持した遊技球を前記入賞口へと移動させる第１保持部と、
保持した遊技球を前記入賞口とは異なる外れ口へと移動させる第２保持部と、
保持した遊技球を前記入賞口又は前記外れ口へと移動させる第３保持部と、
を含むことを特徴とする請求項８又は請求項９に記載の入賞装置。
【請求項１１】
請求項１から請求項７のいずれか一項に記載の演出装置、又は請求項８から請求項１０のいずれか一項に記載の入賞装置を備えていることを特徴とする遊技機。
【発明の詳細な説明】
【技術分野】
【０００１】
本発明は、演出装置、入賞装置、及び遊技機
【背景技術】
【０００２】
近年の遊技機では、遊技者の興趣を高めることを目的として、様々な装飾部品を遊技機内に配置する構成となっている。例えば、モータからの駆動力を受けて回転する回転ドラムを備え、遊技盤を流下する遊技球を回転ドラムに設けられた磁石で吸着して上方に回転移送するような演出装置が用いられている。特許文献１の入賞装置は、入賞ケースの作動窓孔内において、周面に磁石が内蔵され、作動窓孔に流入した玉を外周面で吸着して上方へ移送する円筒形移送体を備えている。そして、円筒形移送体によって移送された遊技球が、特定入賞口内に捕捉されると、大当りとなり一対の開閉翼片の往復開放操作が開始される。特許文献２の入賞装置は、遊技球を吸着する磁石が埋設された回転体を備えている。そして、回転体は、後ろ向きの回転により遊技球を上方に移送し、仕切板の上に放球する。仕切板上に放球された遊技球は、仕切板上で振り分けられて特別入賞口に入球する。
【先行技術文献】
【特許文献】
【０００３】
【特許文献１】特開平６−４７１４５号公報
【特許文献２】特許第３６６８２５８号公報
【発明の概要】
【発明が解決しようとする課題】
【０００４】
しかしながら、特許文献１，２では、遊技球を保持して回転する部材（回転部材という）が、左右方向に沿う所定の回転軸の周りに回転する構成である。そのため、回転部材に形成された遊技球を保持する磁石（保持部という）は、上記回転軸周りに回転するのみであり、その回転軌道が単純で一目見て分かり易い。また、特許文献２においては、回転部材が正逆回転するものの、保持部の回転軌道は変わらず単純である。したがって、回転部材の保持部に保持された遊技球の動的変化が乏しく、遊技者に飽きられ易くなっている。
【０００５】
本発明は、上述した課題を解決するためになされたものであり、遊技者に単調感や飽き等を覚えさせることなく遊技に対する興味を持続させ、変化に富んだ演出装置、入賞装置、及び遊技機を提供することを目的とする。
【課題を解決するための手段】
【０００６】
本発明の演出装置は、
遊技機の遊技盤に直接又は他部材を介して間接的に回転自在に軸支される回転体によって遊技球が移送される演出装置であって、
前記遊技盤の前面に沿って流下する遊技球を受けて誘導する誘導手段と、
前記回転体を所定の回転軸を中心に回転させる駆動源と、
前記回転体の外周面に設けられ、前記誘導手段によって誘導された遊技球を保持するとともに、前記回転体の回転に応じて前記回転軸の軸周りに移動する保持部と、
前記駆動源による前記回転体の前記回転軸を中心とする回転に連動して、前記回転体を揺動させる揺動手段と、
を備え、
前記保持部に保持された遊技球は、前記回転体の回転及び揺動により蛇行移動することを特徴とする。
【０００７】
本発明の入賞装置は、
上記演出装置を備え、
前記回転体によって遊技球が入賞口に移送されることを特徴とする。
【０００８】
本発明の遊技機は、
上記演出装置、又は上記入賞装置を備えていることを特徴とする。
【発明の効果】
【０００９】
本発明の演出装置、入賞装置、及び遊技機は、揺動手段が、駆動源による回転体の回転軸を中心とする回転に連動して、回転体を揺動させる構成である。これにより、回転体の回転に応じて回転軸の軸周りに移動する保持部は、揺動しながら回転移動することになる。そのため、保持部の回転軌道は、単純に回転軸を中心に回転する軌道に比べて複雑になり、遊技者が予測することが難しくなる。このように保持部で保持された遊技球が動的変化に富む動作を行うことで、遊技者に単調感や飽き等を覚えさせることなく遊技に対する興味を持続させることができる。
【００１０】
本発明の演出装置は、回転体の外周に沿って誘導手段によって誘導された遊技球が遊動する遊動路を備えていてもよい。
【００１１】
この構成によれば、誘導手段によって誘導された遊技球が、遊動路で遊動するため、遊技球が保持部に保持されるまで遊技者に興趣を与えることができる。
【００１２】
本発明の演出装置は、誘導手段が、回転体の上方に位置し、遊技球を遊動路へ誘導する入球口を有していてもよい。
【００１３】
この構成によれば、入球口を介して演出装置に入球した遊技球は、回転体によって移送される前に、遊動路で遊動する状態を遊技者に視認させることができ、演出効果を高めることができる。
【００１４】
本発明の演出装置は、回転体が、駆動源によって回転軸を中心に回転する内回転体と、内回転体の外方に位置し、保持部を具備し、揺動手段によって揺動する外回転体と、を有していてもよい。
【００１５】
この構成によれば、回転軸を中心に回転する構成の内回転体に対して、揺動する構成の外回転体を組み合わせることで、外回転体に設けられた保持部を回転軸周りに回転させつつ揺動させる構成を容易に実現することができる。
【００１６】
本発明の演出装置は、駆動源からの駆動力に基づいて外回転体を揺動させる伝達手段を備えていてもよい。
【００１７】
この構成によれば、伝達手段を設けることで、外回転体を揺動させるために駆動源を別途設ける必要がなく、演出装置の構成を簡略化することができる。
【００１８】
本発明の演出装置は、保持部を、遊技球の少なくとも一部が入り込む凹部に形成し、凹部と所定間隔離間して回転体を覆うとともに、凹部に入り込んだ遊技球の凹部からの離脱方向への移動を規制する保護体を備えていてもよい。
【００１９】
この構成によれば、凹部に保持された遊技球を回転体の回転によって移送する際に、保護体によって遊技球が凹部から離脱することを防ぐことができる。そのため、回転体は、遊技球を良好に移送することができる。
【００２０】
本発明の演出装置は、保護体が、回転体の少なくとも前方側の一部を覆うとともに、保持部に保持された遊技球を視認可能に透明に形成されていてもよい。
【００２１】
この構成によれば、回転体が保護体に覆われていても、保持部に保持された遊技球の動きを視認することができる。
【００２２】
本発明の入賞装置は、誘導手段が、回転体の上方に位置し、遊技球を保持部へと導く複数の入球口を有し、複数の入球口のうち少なくとも１つは、遊技球を直接的に入賞口に移動させる保持部へと導いてもよい。
【００２３】
この構成によれば、複数の入球口のうち少なくとも１つは、遊技球を保持部へと導くため、誘導手段における複数の入球口のうちのいずれの入球口に遊技球が入球するかによって一種の抽選を行うことができる。
【００２４】
本発明の入賞装置は、保持部が、保持した遊技球を入賞口へと移動させる第１保持部と、保持した遊技球を入賞口とは異なる外れ口へと移動させる第２保持部と、保持した遊技球を入賞口又は外れ口へと移動させる第３保持部と、を含んでいてもよい。
【００２５】
この構成によれば、遊技球がいずれの保持部に保持されるかによって、遊技球が入賞口に移送されるか否かが決まるため、このような抽選によって遊技者の興趣を高めることができる。特に、第３保持部に保持された遊技球は、入賞口に移送されるか外れ口へ移送されるか分からないため、より一層遊技者の興趣を高めることができる。
【図面の簡単な説明】
【００２６】
【図１】図１は、本発明の第１実施形態に係る遊技機を例示する斜視図である。
【図２】図２（Ａ）は、図１の入賞装置を前方側且つ斜め上方側から見た斜視図であり、図２（Ｂ）は、後方側且つ斜め上方側から見た斜視図である。
【図３】図３（Ａ）は、図１の入賞装置の平面図であり、図３（Ｂ）は、正面図である。
【図４】図４は、図１の入賞装置を構成する上側の一部について、前方側且つ斜め上方側から見た分解斜視図である。
【図５】図５は、図４に繋がる図であり、図１の入賞装置を構成する下側の一部について前方側且つ斜め上方側から見た分解斜視図である。
【図６】図６は、回転体の前方側且つ斜め上方側から見た分解斜視図である。
【図７】図７は、図３（Ｂ）のＡ−Ａ断面を示す断面図である。
【図８】図８は、回転体の正面から見た断面図である。
【図９】図９は、図３（Ｂ）のＢ−Ｂ断面を示す断面図である。
【図１０】図１０（Ａ）〜（Ｄ）は、回転体の揺動動作を説明する平面図である。
【図１１】図１１は、回転体の外面の展開模式図である。
【図１２】図１２は、図１の入賞装置の動作を概略的に説明する断面図である。
【図１３】図１３（Ａ）は、第２実施形態に係る回転体の外面の展開図を概略的に説明する説明図であり、図１３（Ｂ）は、第３実施形態に係る回転体の外面の展開図を概略的に説明する説明図である。
【図１４】図１４は、第４実施形態に係る入賞装置の側断面図である。
【発明を実施するための形態】
【００２７】
[第１実施形態]
以下、本発明に係る演出装置、入賞装置、及び遊技機を具現化した第１実施形態について、図面を参照して説明する。
【００２８】
図１に示す遊技機１は、いわゆるパチンコ機として構成されており、遊技者側に配される前面枠２に形成された窓部３に透明板（ガラス板等）が配置されている。また、透明板の後方（奥側）には、遊技盤４が配置され、この遊技盤４上にガイドレール等によって区画された遊技領域４ａ（遊技球が流下可能な領域）が形成され、遊技者が透明板を介して遊技領域４ａを視認できるように構成されている。遊技領域４ａの中央付近には、それぞれ後述する電動チューリップ９、振分装置１０、及び入賞装置２０が設けられている。入賞装置２０は、振分装置１０とともに遊技領域４ａの中央付近に中央役物１２として配置されている。遊技領域４ａの中央領域の下方には、作動口５ａ，５ｂが設けられている。作動口５ａ，５ｂの下方には、アタッカーとして構成される大入賞口６が設けられている。また、窓部３の下方には、遊技球を受ける遊技球受皿７が設けられており、この遊技球受皿７の右側下方には回転操作によって球を打ち出す発射ハンドル８が設けられている。
【００２９】
なお、本明細書では、遊技盤４の前面（盤面）と直交する方向を前後方向とし、遊技盤４の前面（盤面）に対し遊技者が位置するべき側を前方側、それとは反対側（即ち、遊技機１奥側）を後方側とする。また、遊技領域４ａを遊技球が流下する方向（鉛直方向）を上下方向とする。また、上記「前後方向」及び「上下方向」と直交する方向を左右方向とし、遊技機１前方側から見て左側を左方向、右側を右方向とする。
【００３０】
作動口５ａ，５ｂは、遊技領域４ａを流下する遊技球を入球させて、入球した遊技球を検出するように機能する。作動口５ａ，５ｂは、入球した遊技球を検出すると、図示しない制御装置（ＣＰＵやメモリ等を備えた装置）に球検知信号を送信する。作動口５ａ，５ｂから球検知信号を受信した制御装置は、所定個数の賞球の払い出しの制御と、後述する電動チューリップ９の開放動作の制御を行う。なお、作動口５ａに遊技球が入球した場合、電動チューリップ９の羽根９ａの開放動作が１回行われ、作動口５ｂに遊技球が入球した場合、電動チューリップ９の羽根９ａの開放動作が２回行われる。
【００３１】
電動チューリップ９は、図示しないソレノイドの動作に応じて、遊技球が入賞口９ｂに入賞し易い状態と、遊技球が入賞口９ｂに入賞し難い状態とに変化するように羽根９ａが開閉する構成である。遊技領域４ａを流下して入賞口９ｂに入り込んだ遊技球は、図示しない球検出センサで入球が検出されて、排出流路１１を介して下方の振分装置１０に排出されるようになっている。
【００３２】
排出流路１１は、管状に構成され、電動チューリップ９に入賞した遊技球を振分装置１０として後述する皿部材２１に導く誘導手段としての役割をなす。
【００３３】
以下、入賞装置２０について詳しく説明する。
図２〜図９に示す入賞装置２０は、遊技盤４に固定される枠体６１に回転自在に軸支される回転体３０によって、遊技球を入賞口６２ａ（図２（Ｂ）、図７参照）または外れ口６１ｆに移送する装置である。入賞装置２０は、図４、図５に示すように、回転体３０、皿部材２１、保護体２２、枠体６１、通路枠６２、及び駆動ユニット７０を備えている。また、演出装置２５は、回転体３０、皿部材２１、保護体２２、枠体６１、及び駆動ユニット７０によって構成されている。以下、入賞装置２０を構成する部材について詳しく説明する。
【００３４】
回転体３０は、図６に示すように、内回転体４０、外回転体５０、一対の固定リング５４、回転軸３１、傘歯車３２、リンクギア３３、及び球体リンク３４を備えている。内回転体４０は、モータ７１によって回転軸３１を中心に回転する。内回転体４０は、第１内回転部４１、及び第２内回転部４２を備えている。第１内回転部４１及び第２内回転部４２は、ともに中空の半球ドーム状であり、球面部の頂部に揺動軸４１ａ，４２ａが互いに同軸上となるように、球面から外方に突出する円柱状に形成されている。また、第１内回転部４１には、揺動軸４１ａの隣において、揺動軸４１ａの軸方向（図８において上下方向）に貫通する軸受部４１ｂが形成されている。第１内回転部４１と第２内回転部４２の半球が組み合わされることで、内回転体４０が形成される。
【００３５】
回転軸３１は、細長い円柱状の棒であり、内回転体４０の回転軸となる。回転軸３１は、図８に示すように、一端（左端部）がビスＴを用いて内回転体４０に固定されている。これにより、回転軸３１と内回転体４０が一体的に回転する。また、回転軸３１の他端（右端部）において、傘歯車３２が挿通支持され、内回転体４０（第１内回転部４１，第２内回転部４２）に挟持されている。傘歯車３２は、図８に示すように、筒状部３２ａ及び歯部３２ｂが形成されている。筒状部３２ａには、回転軸３１がブッシュを介して回動自在に挿通されている。歯部３２ｂは、筒状部３２ａの左端部において、リング形状で左側に向かうにつれて内側へと傾斜する円錐台形面に形成されている。
【００３６】
内回転体４０には、図８に示すように、リンクギア３３、及び球体リンク３４が組み付けられている。リンクギア３３は、傘歯車３２と噛合する歯車として構成され、円錐台形の下側側面に歯部３３ａが形成されている。リンクギア３３は、図６に示す上端部に略小判形状の軸受け凹部３３ｂが形成されている。球体リンク（本発明の「揺動手段」に相当する）３４は、モータ７１による回転体３０（内回転体４０）の回転軸３１を中心とする回転に連動して、回転体３０（外回転体５０）を揺動させるように機能する。球体リンク３４は、略円板状であり、第１軸部３４ａ、及び第２軸部３４ｂが形成されている。第１軸部３４ａは、球体リンク３４の一方面（図８では下面）の中心から円筒状に突出し、先端部が断面略小判形状に切削されている。第２軸部３４ｂは、球体リンク３４の他方面（図８では上面）における中心からずれた偏心位置（第１軸部３４ａの軸線とは異なる軸線上の位置）から突出する円柱状である。球体リンク３４の第１軸部３４ａは、図８に示すように、内回転体４０の軸受部４１ｂに回転自在に挿通され、リンクギア３３の軸受け凹部３３ｂに入り込んでビスＴを用いて第１内回転部４１にリンクギア３３と一体的に回転するように固定される。
【００３７】
内回転体４０は、傘歯車３２が組み付けられた回転軸３１を、リンクギア３３、及び球体リンク３４が組み付けられた第１内回転部４１と、第２内回転部４２とによって挟み込むようにして形成される。このとき、傘歯車３２の歯部３２ｂは、図８に示すように、内回転体４０に内在してリンクギア３３の歯部３３ａに噛み合っており、回転軸３１の回転方向を９０°変換し、球体リンク３４が回転軸３１（回転軸線Ｇ３）と交差する第１軸部３４ａ（回転軸線Ｇ１）で回転するようにしている。また、回転軸３１の右端部には、図４及び図９に示すように、回転ギア６１ｉが回転軸３１と一体的に回転するように固定されている。回転ギア６１ｉには回転体３０の回転を検知する検知片６１１が一体的に設けられている。
【００３８】
外回転体５０は、複数の凹部（本発明の「保持部」に相当）５３を有し、内回転体４０の外方に位置し、球体リンク３４によって内回転体４０に対して揺動させられる。凹部５３は、外回転体５０の外周面に設けられ、遊技球の一部（実施例では約半球）を入り込ませて保持する。外回転体５０は、図６に示すように、第１外回転部５１、及び第２外回転部５２を備えている。第１外回転部５１及び第２外回転部５２は、ともに中空の半球ドーム状であり、それぞれに複数の凹部５３及び軸受部５１ａ（軸受部５２ａ）が形成されている。軸受部５１ａ，５２ａは、第１外回転部５１及び第２外回転部５２の球面部の頂部において、互いに同軸上となるように中空内側に突出する円筒状に形成されている。また、第１外回転部５１には、軸受部５１ａに隣接して、回転軸３１の軸方向（図８において左右方向）に延びる溝部５１ｂ（本発明の「揺動手段」に相当）が形成されている。溝部５１ｂは、下端部の高さが回転軸３１に対して一定になっている。
【００３９】
外回転体５０は、第１外回転部５１及び第２外回転部５２の中空部に、リンクギア３３等が組み付けられた内回転体４０を収納するように挟み込んで合体形成される。このとき、揺動軸４１ａ，４２ａがそれぞれ軸受部５１ａ，５２ａに回転自在に入り込み、第２軸部３４ｂが溝部５１ｂに対して変位自在に入り込んでいる。また、組み合わされた第１外回転部５１と第２外回転部５２に対して、リング形状の一対の固定リング５４を回転軸３１の両端から挟むように取付けることで第１外回転部５１と第２外回転部５２が固定され、図４及び図８に示すように回転体３０が組み付けられる。
【００４０】
枠体６１は、回転体３０を回転自在に軸支する土台として構成され、中央役物１２の開口凹部１２ａに固定されている（図１参照）。枠体６１は、図５に示すように、一対の壁部６１ａ，６１ａ、軸受凹部６１ｂ，６１ｃ、通路受部６１ｄ、及び一対の外れ通路６１ｅ，６１ｅ（図２（Ｂ）参照）が形成されている。一対の壁部６１ａは、左右方向で互いに対向するように配置されている。軸受凹部６１ｂ，６１ｃは、左右の壁部６１ａのそれぞれの上端部において、下方に凹むように半円筒状に形成されている。軸受凹部６１ｂは、回転軸３１の左端部を回転自在に軸受する軸受部材６１ｇ（図４参照）が組み付けられる。軸受凹部６１ｃは、半円筒状の軸受部材６１ｈ（図４参照）とともに傘歯車３２の筒状部３２ａを上下方向で挟み込んで、傘歯車３２が回転しないように枠体６１に固定し、回転軸３１の右端部を回転自在に軸受する。通路受部６１ｄは、上方に開口する枠状部分であり、通路枠６２が組み付けられる。通路枠６２は、箱状であり、前側上方に開口した入賞口６２ａと、入賞口６２ａに入賞した遊技球を後方に続く通路６２ｂと、入賞口６２ａの後開口端側に上方に延出した後壁部６２ｃを備えている。入賞口６２ａの開口端及び後壁部６２ｃは、回転体３０（外回転体５０）の曲面に沿うように湾曲している。枠体６１には、図７に示すように、通路６２ｂの後端部に続くように検出スイッチ６３が設けられている。検出スイッチ６３は、検出孔６３ａを通過する遊技球を検出する。一対の外れ通路６１ｅ，６１ｅは、図２（Ｂ）に示すように、通路受部６１ｄ（通路枠６２）を左右両側から挟むように形成され、それぞれ前方から後方へ傾斜する底壁を有している。外れ通路６１ｅ，６１ｅには、図２（Ｂ）及び図５に示すように、上端部に外れ口６１ｆが形成されている。
【００４１】
回転体３０は、通路枠６２が組み付けられた枠体６１において、軸受部材６１ｇと軸受部材６１ｈによって軸受凹部６１ｂ，６１ｃに回転自在に組み付けられている。そして、回転軸３１の回転により、回転体３０が回転するのに伴って傘歯車３２の歯部３２ｂに噛合しているリンクギア３３が第１軸部３４ａ（回転軸線Ｇ１）で回転することで外回転体５０が揺動するようになっている。
【００４２】
保護体２２は、回転体３０の上方を所定の間隔をもって覆うように設けられ、排出流路１１からの遊技球を受けるとともに、凹部５３に入り込んだ遊技球の凹部５３からの離脱方向への移動を規制するように機能する。保護体２２は、図４に示すように、保護部２２ａ、遊動路２２ｂ、停留部２２ｃを備えている。保護部２２ａは、半球ドーム状であり、図２、図３に示すように、回転体３０の上端側のほぼ半球を覆っている。保護部２２ａは、凹部５３に保持された遊技球を視認可能に透明に形成されている。保護部２２ａには、前面側及び上端部にそれぞれ開口部２２ｄ，２２ｅが形成されている。開口部２２ｄは、保護部２２ａの前端部を停留部２２ｃの範囲（停留部２２ｃの遊技球を外回転体５０の外周で支持する範囲）に対応して切り欠くように形成され、停留部２２ｃの遊技球を凹部５３に保持させるようにしている。開口部２２ｅは、保護部２２ａの上端部に図２（Ｂ）において左右方向に遊技球が２個入る長孔に形成され上下方向に貫通する貫通孔である。遊動路２２ｂは、保護部２２ａの下端部外周に沿うように溝状に形成され、後方側から前方側に向かって下方に傾斜して皿部材２１によって誘導された遊技球を遊動させながら停留部２２ｃに導くように機能する。停留部２２ｃは、遊動路２２ｂの一部を構成し、開口部２２ｄの前方側において、遊動路２２ｂと連続するように段差をもって形成されており、後方（回転体３０側）に向かうにつれて低位置となるように傾斜して、停留部２２ｃの遊技球が開口部２２ｄから回転体３０（外回転体５０）に向けて流出するようにしている。
【００４３】
保護体２２は、図２、図３に示すように、枠体６１に組み付けられた回転体３０を上方から半球を覆うように枠体６１に固定される。このとき、遊動路２２ｂは、図７に示すように、回転軸３１より上方の位置で回転体３０の外周を周回するように配置される。開口部２２ｄは、図２（Ａ）、図７に示すように、回転体３０の外面に前方から対向するように、回転体３０に所定の隙間を介して形成されている。停留部２２ｃは、図２（Ａ）、図３（Ａ）、図７に示すように、円弧状の後端部が回転体３０の外面に沿うように、開口部２２ｄから入り込むように回転体３０に対して所定の隙間を介して近接しており、停留部２２ｃの遊技球は、回転体３０の凹部５３に受け入れられるまで外回転体５０の周面に支持されながら停留部２２ｃに停留する。遊動路２２ｂ（停留部２２ｃ）が、回転軸３１より上方に位置することにより、図７に示すように、凹部５３が遊技球を受け入れる際に、凹部５３がやや上向き状態となるため、遊技球を確実に受け入れ保持するようにしている。
【００４４】
皿部材（本発明の「誘導手段」に相当）２１は、遊技盤４の前面に沿って流下する遊技球を受けて回転体３０に誘導するように機能する。皿部材２１は、図４に示すように、底部分に３つの入球口２１ａ〜２１ｃが形成されている。皿部材２１は、図２、図３に示すように、回転体３０の上方に位置するように、保護体２２の上面側に固定されている。
【００４５】
入球口２１ａは、図２（Ａ）、図７に示すように、開口部２２ｅの上方に僅かな隙間を介して近接するように対向している。そのため、入球口２１ａに入球した遊技球は、開口部２２ｅを介して回転体３０の外面へと流下する。入球口２１ｂ、２１ｃは、図２に示すように、保護部２２ａの上方の開口部２２ｅ後端側の上面に位置している。そのため、入球口２１ｂ、２１ｃに入球した遊技球は、保護部２２ａの上面を流下して、遊動路２２ｂへと導かれる。そして、遊動路２２ｂの傾斜により前方へと流下する遊技球は、停留部２２ｃへと誘導され、停留部２２ｃを介して回転体３０の外面へと流下する。
【００４６】
駆動ユニット７０は、回転体３０を回転軸３１を中心に回転させとともに、回転体３０を揺動軸４１ａを中心に揺動させるように機能する。駆動ユニット７０は、図５に示すように、モータ７１、モータベース７２、モータカバー７３、モータギア７４、減速ギア７５、従動ギア７６、及びセンサ７７を備えている。モータ（本発明の「駆動源」に相当）７１は、公知のステッピングモータとして構成され、駆動軸となる軸部７１ａが図５に示す右方向に突出している。軸部７１ａには、図９に示すように、モータギア７４が組み付けられている。モータベース７２は、板状であり、枠体６１の右側の壁部６１ａに固定されている。モータベース７２は、図５に示すように、貫通孔７２ａ、軸部７２ｂ，７２ｃ及びギア収納部７２ｄが形成されており、上端には回転ギア６１ｉが臨む凹部７２ｅが切欠き形成されている。貫通孔７２ａには、モータ７１の軸部７１ａが貫挿される。軸部７２ｂには、従動ギア７６が回動自在に組み付けられている。軸部７２ｃには、減速ギア７５が回動自在に組み付けられている。ギア収納部７２ｄはダルマ型に凹設され、モータギア７４及び減速ギア７５が噛合して収納される。モータカバー７３は、モータベース７２とともにモータギア７４、減速ギア７５、従動ギア７６のギア群、及びセンサ７７を覆うようにモータベース７２に組み付けられている。センサ７７は、フォトセンサ等の公知の位置検出センサによって構成されている。センサ７７は、後述する回転ギア６１ｉの検知片６１１を検知して回転ギア６１ｉの回転位置を検出する。
【００４７】
減速ギア７５は、大歯車７５１と小歯車７５２とからなる二段ギアで、図９に示すように、減速ギア７５の大歯車７５１にモータギア７４が噛み合っている。また、減速ギア７５の小歯車７５２は、従動ギア７６に噛み合っている。従動ギア７６は、回転ギア６１ｉに噛み合っている。モータ７１が駆動するとモータギア７４が図９の矢印で示す反時計回りに回転し、歯部の噛合により減速ギア７５、従動ギア７６、回転ギア６１ｉへとモータ７１の駆動力が伝達し、回転軸３１が時計回りに回転することにより回転体３０（内回転体４０）が後方に回転すると共に、リンクギア３３（本発明の「伝達手段」に相当）も回転軸３１（回転軸線Ｇ３）周りに回転移動する。そして、リンクギア３３が傘歯車３２（本発明の「伝達手段」に相当）との噛合により回転軸線Ｇ１周りに自転するため球体リンク３４が回転し、モータ７１からの駆動力に基づいて外回転体５０を揺動させるように機能する。
【００４８】
次に、回転体３０の動作について説明する。
回転体３０（外回転体５０）は、図１０（Ａ）〜（Ｄ）に示すように、揺動動作を行う。図１０（Ａ）〜（Ｄ）は、外回転体５０が内回転体４０に対して相対的に揺動する状態を、第１外回転部５１を正面から見るように示している。球体リンク３４は、モータ７１からの駆動力に基づいて回転軸線Ｇ１（第２軸部３４ｂに沿って延びる軸線）を中心に反時計回りに回転する。球体リンク３４の第２軸部３４ｂは、図１０（Ａ）に示すように溝部５１ｂの右端部付近に位置する状態から、溝部５１ｂの壁面（図１０に示す上壁面）を押圧して、図１０（Ｂ）に示すように、溝部５１ｂの左右方向の中央付近に移動する。このとき、外回転体５０は、揺動軸線Ｇ２（揺動軸４１ａ，４２ａに沿って延びる軸線）を中心として反時計回りに回転する。
【００４９】
続いて、さらに球体リンク３４が、回転軸線Ｇ１を中心に反時計回りに回転すると、球体リンク３４の第２軸部３４ｂは、溝部５１ｂの壁面（図１０に示す下壁面）を押圧して、図１０（Ｃ）に示すように溝部５１ｂの左端部付近に移動する。すると、外回転体５０は、第２軸部３４ｂから次第に押圧力を受けなくなりつつ、揺動軸線Ｇ２を中心として時計回りに回転する。続いて、さらに球体リンク３４が、回転軸線Ｇ１を中心に反時計回りに回転すると、球体リンク３４の第２軸部３４ｂは、溝部５１ｂの壁面（図１０に示す下壁面）を押圧して、図１０（Ｄ）に示すように溝部５１ｂの左右方向の中央付近に移動する。このとき、外回転体５０は、揺動軸線Ｇ２を中心として時計回りに回転する。続いて、さらに球体リンク３４が、回転軸線Ｇ１を中心に反時計回りに回転すると、球体リンク３４の第２軸部３４ｂは、溝部５１ｂの壁面（図１０に示す上壁面）を押圧して、図１０（Ａ）に示すように溝部５１ｂの右端部付近に移動する。このとき、外回転体５０は、揺動軸線Ｇ２を中心として反時計回りに回転する。以上のようにして、外回転体５０が揺動軸線Ｇ２を中心として内回転体４０に対して相対的に揺動することで、回転体３０（外回転体５０）が揺動動作する。
【００５０】
図１１は、回転体３０（外回転体５０）の外面の展開模式図である。複数の凹部５３は、図１１に示すように、第１凹部（本発明の「第１保持部」に相当）５３ａの領域群５３ａＲ、及び第２凹部（本発明の「第２保持部」に相当）５３ｂの領域群５３ｂＲを含んでいる。第１凹部５３ａは、保持した遊技球を入賞口６２ａへと移動させる。第１凹部５３ａは、回転体３０の外面において、左右方向の中央位置に配置されている。第２凹部５３ｂは、保持した遊技球を外れ口６１ｆへと移動させる。第２凹部５３ｂは、回転体３０の外面において、左右方向の両端部付近に配置されている。そして、回転体３０の外面において、周方向に沿って（回転軸線Ｇ３周りに）第１凹部５３ａ、一対の第２凹部５３ｂが順に繰り返し現れるような配置になっている。
【００５１】
次に、入賞装置２０の動作について、図１２を用いて説明する。
まず、入球口２１ａに入球した遊技球Ｂ１の移動について説明する。皿部材２１の入球口２１ａに入球した遊技球Ｂ１は、開口部２２ｅを介して回転体３０の外面へと流下する。そして、回転体３０（外回転体５０）の回転により開口部２２ｅの直下に第１凹部５３ａが位置した場合には、図１２（Ａ）に示すように、入球口２１ａに入球した遊技球Ｂ１が直接第１凹部５３ａへと導かれて第１凹部５３ａに保持される。なお、開口部２２ｅの直下に第１凹部５３ａが位置していない場合には、遊技球Ｂ１が開口部２２ｅに入り込んだ状態で、開口部２２ｅの直下に第１凹部５３ａが位置するようになるまで回転体３０の回転に基づいて回転体３０（外回転体５０）の外面上を転動する。すなわち、入球口２１ａは、第１凹部５３ａの移動経路上の所定位置に、上下方向で重なるように配置されている。
【００５２】
第１凹部５３ａに保持された遊技球Ｂ１は、図１２（Ｂ）に示すように、回転体３０の回転軸線Ｇ３（回転軸３１に沿って延びる軸線）を中心とした回転に応じて、後方（図１２では反時計回り方向）に移動させられる。ここで、第１凹部５３ａに保持された遊技球Ｂ１は、保護体２２の下に入り込むように移動し、保護体２２及び後壁部６２ｃに覆われることで第１凹部５３ａから離脱しないようになっている。このとき、遊技球Ｂ１は、揺動軸線Ｇ２上に位置する第１凹部５３ａ（図１０で回転体３０の中心に位置する第１凹部５３ａ）に保持された遊技球Ｂ１を除いて、回転体３０（外回転体５０）の揺動動作によって蛇行しながら移動する。揺動軸線Ｇ２上に位置する第１凹部５３ａに保持された遊技球Ｂ１は、回転体３０の揺動動作によって回転軸線Ｇ３周りに回転移動する。言い換えれば、第１凹部５３ａを揺動軸線Ｇ２上からずらして設けることにより、第１凹部５３ａに保持された遊技球Ｂ１は、回転体３０の揺動動作によって蛇行しながら移動することになる。
【００５３】
回転体３０が回転軸線Ｇ３を中心としてさらに回転すると、第１凹部５３ａが図１２（Ｃ）に示すように、入賞口６２ａに対向するようになる。第１凹部５３ａが入賞口６２ａに対向する位置まで到達すると、図１２（Ｃ）に示すように、遊技球Ｂ１が後壁部６２ｃの支持から外れて第１凹部５３ａから入賞口６２ａに落下して通路枠６２を通過し、検出スイッチ６３によって検出される。そして、遊技機１は、大入賞口６が開放する大当たり状態となる。なお、入賞口６２ａの開口幅は第１凹部５３ａの揺動幅と略同幅に設定されており、第１凹部５３ａに保持された遊技球Ｂ１は揺動移動しながら、必ず入賞口６２ａに落下し入賞することになる。
【００５４】
次に、入球口２１ｂ，２１ｃに入球した遊技球Ｂ２の移動について説明する。皿部材２１の入球口２１ｂ，２１ｃに入球した遊技球Ｂ２は、保護部２２ａの上面を流下して、遊動路２２ｂへと導かれる。そして、遊動路２２ｂを前方へと流下する遊技球Ｂ２は、停留部２２ｃへと誘導され、図１２（Ａ）に示すように、開口部２２ｄを介して回転体３０の外面へと流下する。遊動路２２ｂを流下した遊技球Ｂ２は、回転体３０が上述した揺動動作（図１０参照）を行うため、第１凹部５３ａ又は第２凹部５３ｂのいずれかに入り込む。図１２（Ａ）は、遊技球Ｂ２が第１凹部５３ａに入り込んだ状態を示している。なお、開口部２２ｄに対向するように第１凹部５３ａ及び第２凹部５３ｂが位置していない場合には、遊技球Ｂ２が回転体３０の外面上に接触した状態で、第１凹部５３ａ又は第２凹部５３ｂが開口部２２ｄに対向するまで回転体３０の回転に基づいて停留部２２ｃを転動しながら停留する。すなわち、開口部２２ｄは、少なくとも第１凹部５３ａ及び第２凹部５３ｂの配置領域幅を有して、それぞれの移動経路上の所定位置に、前後方向で重なるように配置されている。
【００５５】
遊動路２２ｂ（停留部２２ｃ）から開口部２２ｄを介して第１凹部５３ａに保持された遊技球Ｂ２は、上述した入球口２１ａに入球した遊技球Ｂ１と同様に、回転体３０の回転によって蛇行しながら通路枠６２まで運ばれて、入賞口６２ａに入球する。そして、遊技機１は、大入賞口６が開放する大当たり状態となる。
【００５６】
一方で、遊動路２２ｂ（停留部２２ｃ）から開口部２２ｄを介して第２凹部５３ｂに保持された遊技球Ｂ２は、回転体３０の回転軸線Ｇ３を中心とした回転に応じて、後方（図１２では反時計回り方向）に移動させられる。ここで、第２凹部５３ｂに保持された遊技球Ｂ２は、保護体２２の下に入り込むように移動し、保護体２２及び後壁部６２ｃに覆われることで第２凹部５３ｂから離脱しないようになっている。このとき、遊技球Ｂ２は、回転体３０（外回転体５０）の揺動動作によって蛇行しながら移動する。
【００５７】
回転体３０が回転軸線Ｇ３を中心としてさらに回転すると、第２凹部５３ｂが外れ口６１ｆに対向するようになる。第２凹部５３ｂが外れ口６１ｆに対向する位置まで到達すると、遊技球Ｂ２が保護体２２及び後壁部６２ｃの支持から外れて第２凹部５３ｂから落下して外れ通路６１ｅを通過し、入賞装置２０から排出される。
【００５８】
（第１実施形態の主な効果）
本第１実施形態の遊技機１は、球体リンク３４が、モータ７１による回転体３０の回転軸３１を中心とする回転に連動して、回転体３０を揺動させる構成である。これにより、回転体３０の回転に応じて回転軸３１の軸周りに移動する凹部５３は、揺動しながら回転移動することになる。そのため、凹部５３の回転軌道は、単純に回転軸３１を中心に回転する軌道に比べて複雑になり、遊技者が予測することが難しくなる。このように凹部５３で保持された遊技球が動的変化に富む動作を行うことで、遊技者に単調感や飽き等を覚えさせることなく遊技に対する興味を持続させることができる。
【００５９】
特に、複数の入球口２１ａ，２１ｂ，２１ｃを備えた皿部材２１を介することで、入球口２１ａに入球した遊技球は、開口部２２ｅを介して第１凹部５３ａに入り込み入賞口６２ａに導かれるため、遊技者はいつどの入球口２１ａ，２１ｂ，２１ｃに入り込むかの抽選機構に興趣を高めることができる。また、入球口２１ｂ，２１ｃに入球した遊技球は、遊動路２２ｂから停留部２２ｃに導かれ、開口部２２ｄを介して蛇行移動する第１凹部５３ａ又は第２凹部５３ｂに入り込むため、遊技者は入球口２１ａから第１凹部５３ａに入り込むチャンスを逃しても、再度第１凹部５３ａに入り込むチャンスを得られ、いつどの凹部５３に入り込むか予測し難くなるが期待感が高まる。また、遊技球は、入賞口６２ａ又は外れ口６１ｆに対して、蛇行する凹部５３から落下するため、入賞口６２ａ又は外れ口６１ｆのいずれに入球するか予測し難くなる。したがって、遊技者に一層単調感や飽き等を覚えさせ難くなり、遊技に対する興味を持続させることができる。
【００６０】
また、入賞装置２０は、回転体３０の外周に沿って皿部材２１によって誘導された遊技球が遊動する遊動路２２ｂを備えている。
これにより、皿部材２１によって誘導された遊技球が、遊動路２２ｂで遊動するため、遊技球が凹部５３に保持されるまで遊技者に興趣を与えることができる。
【００６１】
また、皿部材２１は、回転体３０の上方に位置し、遊技球を遊動路２２ｂへ誘導する入球口２１ｂ，２１ｃを有している。
これにより、入球口２１ｂ，２１ｃを介して演出装置２５に入球した遊技球は、回転体３０によって移送される前に、遊動路２２ｂで遊動する状態を遊技者に視認させることができ、演出効果を高めることができる。
【００６２】
また、回転体３０は、モータ７１によって回転軸３１を中心に回転する内回転体４０と、内回転体４０の外方に位置し、凹部５３を具備し、球体リンク３４によって揺動する外回転体５０と、を有する。
これにより、回転軸３１を中心に回転する構成の内回転体４０に対して、揺動する構成の外回転体５０を組み合わせることで、外回転体５０に設けられた凹部５３を回転軸３１周りに回転させつつ揺動させる構成を容易に実現することができる。
【００６３】
また、内回転体４０を回転させるモータ７１からの駆動力に基づいて外回転体５０を揺動させる傘歯車３２、及びリンクギア３３を備えている。
これにより、傘歯車３２及びリンクギア３３を設けることで、外回転体５０を揺動させるためにモータを別途設ける必要がなく、演出装置２５の構成を簡略化することができる。
【００６４】
また、凹部５３は、遊技球の一部が入り込む。入賞装置２０は、凹部５３と所定間隔離間して回転体３０を覆うとともに、凹部５３に入り込んだ遊技球の凹部５３からの離脱方向への移動を規制する保護体２２を備えている。
これにより、回転体３０によって遊技球を移送する際に、保護体２２によって遊技球が凹部５３から離脱することを防ぐことができる。そのため、回転体３０は、遊技球を良好に移送することができる。
【００６５】
また、保護体２２は、回転体３０の少なくとも前方側の一部を覆うとともに、凹部５３に保持された遊技球を視認可能に透明に形成されている。
これにより、回転体３０が保護体２２に覆われていても、凹部５３に保持された遊技球の動きを視認することができる。
【００６６】
また、皿部材２１は、回転体３０の上方に位置し、遊技球を凹部５３へと導く複数の入球口２１ａ〜２１ｃを有している。入球口２１ａは、遊技球を直接的に入賞口６２ａに移動させる第１凹部５３ａへと導く。
これにより、入球口２１ａは、遊技球を第１凹部５３ａへと導くため、皿部材２１における複数の入球口２１ａ〜２１ｃのうちのいずれの入球口に遊技球が入球するかによって一種の抽選を行うことができる。
【００６７】
[第２実施形態]
次に、第２実施形態について説明する。
第２実施形態の入賞装置２０は、回転体３０における凹部５３の配置が主に第１実施形態の入賞装置２０と異なっている。したがって、第１実施形態と同一の部分については第１実施形態と同一の符号を付し、適宜、図１〜１２を参照し、詳細な説明は省略する。
【００６８】
図１３（Ａ）は、第２実施形態の回転体３０（外回転体５０）の外面の展開模式図である。複数の凹部５３は、図１３（Ａ）に示すように、第１凹部５３ａの領域群５３ａＲ及び第２凹部５３ｂの領域群５３ｂＲを含んでいる。第１凹部５３ａは、保持した遊技球を入賞口６２ａへと移動させる。第１凹部５３ａは、回転体３０の外面において、左右方向の中央位置に配置されている。第２凹部５３ｂは、保持した遊技球を外れ口６１ｆへと移動させる。第２凹部５３ｂは、回転体３０の外面において、左右方向の両端部付近に配置されている。そして、回転体３０の外面において、周方向に沿って（回転軸線Ｇ３（図１２参照）周りに）第１凹部５３ａ、一対の第２凹部５３ｂ、一対の第２凹部５３ｂが順に繰り返し現れるような配置になっている。
【００６９】
入球口２１ａに入球した遊技球の移動は、第１実施形態と同様であり、開口部２２ｅを通過して第１凹部５３ａに保持され、入賞口６２ａへと移動する。入球口２１ｂ，２１ｃに入球した遊技球の移動は、第１実施形態と同様に、遊動路２２ｂ及び停留部２２ｃを流下し、開口部２２ｄを通過して第１凹部５３ａ又は第２凹部５３ｂに保持される。第２凹部５３ｂに保持された遊技球は、外れ口６１ｆへと移動する。
【００７０】
このような構成では、回転体３０における凹部５３の配置が、第１実施形態に比べて複雑であるため、遊技者は入球口２１ａ〜２１ｃに入球した遊技球がどの凹部５３に保持されるか予測し難くなる。したがって、遊技者に単調感や飽き等を覚えさせることなく遊技に対する興味をより持続させることができる。
【００７１】
[第３実施形態]
次に、第３実施形態について説明する。
第３実施形態の入賞装置２０は、回転体３０における凹部５３の配置が主に第１実施形態の入賞装置２０と異なっている。したがって、第１実施形態と同一の部分については第１実施形態と同一の符号を付し、適宜、図１〜１２を参照し、詳細な説明は省略する。
【００７２】
図１３（Ｂ）は、第３実施形態の回転体３０（外回転体５０）の外面の展開模式図である。複数の凹部５３は、図１３（Ｂ）に示すように、第１凹部５３ａ、第２凹部５３ｃ及び第３凹部５３ｄを含んでいる。第１凹部５３ａは、保持した遊技球を入賞口６２ａへと移動させる。第１凹部５３ａは、回転体３０の外面において、左右方向の中央位置に配置されている。第２凹部５３ｃは、保持した遊技球を外れ口６１ｆへと移動させる。第２凹部５３ｃは、回転体３０の外面において、左右方向における両端部付近から僅かに中央寄りの位置に至るまで、様々な位置に配置されている。第３凹部５３ｄ（本発明の「第３保持部」に相当）は、保持した遊技球を入賞口６２ａ又は外れ口６１ｆへと移動させる。第３凹部５３ｄは、回転体３０の外面において、左右方向における第２凹部５３ｃよりも中央寄りの位置に配置されている。具体的には、第３凹部５３ｄは、左右方向において第１凹部５３ａ（第１凹部５３ａの領域群５３ａＲ）の移動経路（揺動経路）と一部が重なる入賞経路領域ＡＲ１に配置されている。
【００７３】
入球口２１ａに入球した遊技球の移動は、第１実施形態と同様であり、開口部２２ｅを通過して第１凹部５３ａに保持され、入賞口６２ａへと移動する。入球口２１ｂ，２１ｃに入球した遊技球の移動は、第１実施形態と同様に、遊動路２２ｂ及び停留部２２ｃを流下し、開口部２２ｄを通過して第１凹部５３ａ、第２凹部５３ｃ及び第３凹部５３ｄのいずれかに保持される。第２凹部５３ｃに保持された遊技球は、外れ口６１ｆへと移動する。第３凹部５３ｄに保持された遊技球は、回転体３０の回転軸線Ｇ３（図１２参照）を中心とした回転に応じて、保護体２２、及び後壁部６２ｃに覆われつつ蛇行しながら後方へ移動する。そして、第３凹部５３ｄは、入賞口６２ａまたは外れ口６１ｆに対向するようになる。具体的には、回転体３０が回転して保護体２２及び後壁部６２ｃの支持から外れる位置に到達した時点で、回転体３０がどういう揺動状態（図１０参照）かによって、第３凹部５３ｄが入賞口６２ａまたは外れ口６１ｆのいずれかに対向し、遊技球が第３凹部５３ｄから落下して入賞口６２ａまたは外れ口６１ｆを通過する。
【００７４】
この構成によれば、遊技球がいずれの凹部５３に保持されるかによって、遊技球が入賞口６２ａに移送されるか否かが決まるため、このような抽選によって遊技者の興趣を高めることができる。特に、第３凹部５３ｄに保持された遊技球は、入賞口６２ａに移送されるか外れ口６１ｆへ移送されるか分からないため、より一層遊技者の興趣を高めることができる。
【００７５】
[第４実施形態]
次に、第４実施形態について説明する。
第４実施形態の入賞装置２０Ａは、第１実施形態の入賞装置２０と枠体６１及び通路枠６２の構成が異なっている。したがって、第１実施形態と同一の部分については第１実施形態と同一の符号を付し、適宜、図１〜１２を参照し、詳細な説明は省略する。
【００７６】
枠体６１Ａは、図１４に示すように、通路枠６２Ａ（通路受部６１ｄ）の前方側に通路６１ｊ及び入賞口６１ｋが形成されている。通路６１ｊは、前側下方へ傾斜する入賞用の球通路である。通路６１ｊは、遊技盤４の前方側から視認可能になっている。入賞口６１ｋは、通路６１ｊの下端部に形成されている。入賞口６１ｋの下方には、検出スイッチ６３が設けられている。検出スイッチ６３は、通路６１ｊを流下して入賞口６１ｋを介して検出孔６３ａを通過する遊技球を検出する。
【００７７】
通路枠６２Ａは、第１実施形態の通路枠６２とは異なり入賞口６２ａが形成されておらず、上壁部６２ｄが形成されている。上壁部６２ｄは、回転体３０の球面に沿って後方側から前方側へ滑らかに湾曲し、通路６１ｊにつながる。
【００７８】
このような構成によって、入球口２１ａまたは遊動路２２ｂから開口部２２ｄ，２２ｅを介して入球して第１凹部５３ａに保持された遊技球は、入賞装置２０における遊技盤４側で入賞口６１ｋに入球することになる。すなわち、第１凹部５３ａに保持された遊技球は、回転体３０の回転軸線Ｇ３を中心とした回転に応じて移動する際に、保護体２２及び上壁部６２ｄに覆われることで第１凹部５３ａから離脱しないようになっている。そして、上壁部６２ｄに支持されながら前方に転動することで、通路６１ｊに流下し、入賞口６１ｋに入球する。通路６１ｊが遊技盤４の前方側から視認可能になっているため、遊技者が通路６１ｊを通過して入賞する遊技球（入賞口６１ｋに入球する遊技球）を見ることができ、大当たりの実感も直接的に感じられ演出効果を高めることができる。
【００７９】
［他の実施形態]
本発明は上記記述及び図面によって説明した実施形態に限定されるものではなく、例えば次のような実施形態も本発明の技術的範囲に含まれる。
【００８０】
上述した実施形態において、凹部５３の数や配置は、上記したものに限らない。例えば、保持した遊技球を入賞口６２ａ又は外れ口６１ｆへと移動させる凹部（第３凹部５３ｄのような凹部）のみを設ける構成であってもよい。
【００８１】
上述した第１〜第４実施形態において、回転体３０が図１０（Ａ）〜（Ｄ）に示すような揺動動作とは異なる揺動動作を行ってもよい。例えば、傘歯車３２等のギアの歯数が第１実施形態と異なっており、凹部５３が遊技球を落下させる際に、回転体３０の回転に応じて、凹部５３に対向する部分が入賞口６２ａと外れ口６１ｆとで変わる構成であってもよい。このような構成によって、例えば、第１凹部５３ａに保持された遊技球であっても、外れ口６１ｆに入球させることも可能になる。
【００８２】
上述した第１〜第４実施形態において、保持部の一例として、凹部５３を例示したが、磁石を用いて遊技球を吸着保持する構成であってもよい。このような場合、保持部からの遊技球の落下は、例えば、通路枠６２の入賞口６２ａの開口端の前壁で吸着を解除したり、枠体６１等に別途形成した突起部分等に干渉させたりすることで磁石による保持力に抗するように行うことができる。
【００８３】
上述した第１〜第４実施形態において、外回転体５０は、球状の外形であったが、円筒状や紡錘形の外形であってもよい。
【００８４】
上述した第１〜第４実施形態において、回転体３０の揺動動作は、内回転体４０と外回転体５０の間に配置された球体リンク３４の回転によって行ったが、その他の機構を用いてもよい。例えば、回転体３０の回転時に、回転体３０の外面に形成された突起部分が、保護体２２の保護部２２ａの内面に形成された溝部に沿って蛇行するように移動することで、回転体３０の揺動動作を行ってもよい。また、例えば、回転軸３１自体が枠体６１に対して揺動するように枠体６１に支持される構成とすることで、回転体３０の揺動動作を行ってもよい。
【００８５】
上述した第１〜第４実施形態において、保護部２２ａは、透明に形成されていたが、凹部５３に保持された遊技球が視認不能となるように透明でなくてもよい。これにより、遊技球が開口部２２ｄ，２２ｅを介して凹部５３に保持される際に、いずれの凹部５３に保持されたか分かり難くなるため、演出効果を高めることができる。
【００８６】
上述した第１〜第４実施形態において、入賞装置２０は、演出装置２５を備える構成であったが、演出装置２５が遊技領域４ａに単独で配置される構成であってもよい。すなわち、演出装置２５は、遊技領域４ａにおいて、回転体３０によって遊技球を移送して演出効果を高める構成であってもよい。
【符号の説明】
【００８７】
１…遊技機
４…遊技盤
１１…排出流路（誘導手段）
２０…入賞装置
２１…皿部材（誘導手段）
２１ａ〜２１ｃ…入球口
２２…保護体
２２ｂ…遊動路
２５…演出装置
３０…回転体
３１…回転軸
３２…傘歯車（伝達手段）
３３…リンクギア（伝達手段）
３４…球体リンク（揺動手段）
４０…内回転体（回転体）
５０…外回転体（回転体）
５１ｂ…溝部（揺動手段）
５３…凹部（保持部）
５３ａ…凹部（第１保持部）
５３ｂ，５３ｃ…凹部（第２保持部）
５３ｄ…凹部（第３保持部）
６２ａ…入賞口
７１…モータ（駆動源）
【図１】
2019166177.tif 000003
【図２】
2019166177.tif 000004
【図３】
2019166177.tif 000005
【図４】
2019166177.tif 000006
【図５】
2019166177.tif 000007
【図６】
2019166177.tif 000008
【図７】
2019166177.tif 000009
【図８】
2019166177.tif 000010
【図９】
2019166177.tif 000011
【図１０】
2019166177.tif 000012
【図１１】
2019166177.tif 000013
【図１２】
2019166177.tif 000014
【図１３】
2019166177.tif 000015
【図１４】
2019166177.tif 000016